(57)【要約】【課題】内部に配置されている装置等の点検や交換の際に、安全に作業が容易に行え、開閉扉に傷がつくのを防ぐことができるヒュームフードを提供する。【解決手段】ヒュームフード１は、作業空間２０と作業空間２０に通じる開口部４を有する本体部２と、本体部２に設けられて本体部２の開口部４を開閉可能な開閉扉としての可動ガラス扉５と、本体部２に設けられている開放領域部２Ｐを覆っているカバー部材１５０と、本体部２の開放領域部２Ｐをカバー部材１５０により覆っている状態から、開放領域部２Ｐを開放させる位置まで、カバー部材１５０を移動させる移動機構部２００を備える。【選択図】図４
2018083150.tif 000002
【特許請求の範囲】
【請求項１】
作業空間と前記作業空間に通じる開口部を有する本体部と、
前記本体部に設けられて前記本体部の前記開口部を開閉可能な開閉扉と、
前記本体部に設けられている開放領域部を覆っているカバー部材と、
前記本体部の前記開放領域部を前記カバー部材により覆っている状態から、前記開放領域部を開放させる位置まで、前記カバー部材を移動させる移動機構部と、を備えることを特徴とするヒュームフード。
【請求項２】
前記移動機構部は、前記本体部内の一方側に配置された第１案内機構部分と、前記本体部内の他方側に配置された第２案内機構部分を有し、
前記第１案内機構部分と前記第２案内機構部分は、前記本体部側に設けられている案内溝と、前記カバー部材側に設けられて前記案内溝内に沿って案内されることで前記カバー部材を昇降移動させる案内突起部材とを、それぞれ有していることを特徴とする請求項１に記載のヒュームフード。
【請求項３】
前記案内溝は、前記本体部側に設けられた取付部材に設けられ、前記案内突起部材は、前記カバー部材側に設けられており、
前記案内溝は、
前記開放領域部を前記カバー部材により閉じた状態から、前記カバー部材を斜め上方向に案内する第１案内溝部と、
前記第１案内溝部に連続して形成されており、前記カバー部材を前記斜め上方向に持ち上げた状態から下方への移動を案内する第２案内溝部と、
前記第２案内溝部に連続して形成されており、前記第２案内溝部に沿って前記下方に案内された前記カバー部材を、斜め下方向に案内して、前記カバー部材を前記開放領域部から離れた位置に保持する第３案内溝部と、
を有することを特徴とする請求項２に記載のヒュームフード。
【請求項４】
前記案内溝は、前記本体部側に設けられた取付部材に設けられ、前記案内突起部材は、前記カバー部材側に設けられており、
前記案内溝は、
前記開放領域部を前記カバー部材により閉じた状態から、前記カバー部材を斜め上方向に案内する第１案内溝部と、
前記第１案内溝部に連続して形成されており、前記カバー部材を前記斜め上方向に持ち上げた状態から下方への移動を案内する第２案内溝部と、
前記第２案内溝部に連続して形成されており、前記第２案内溝部に沿って前記下方に案内された前記カバー部材を、さらに前記下方に案内して、前記カバー部材を前記開放領域部から離れた位置に保持する第３案内溝部と、
前記第２案内溝部に接続され、前記カバー部材の前記案内突起部材を前記第２案内溝部から離脱させて前記カバー部材を前記本体部から取り外し可能にする第４案内溝部と、
を有することを特徴とする請求項２に記載のヒュームフード。
【請求項５】
前記カバー部材は、前記本体部の前記開放領域部を閉じた状態で、前記取付部材に対して突き当てることで前記カバー部材を前記取付部材に位置決めをする位置決め部材を有することを特徴とする請求項３または４に記載のヒュームフード。
【請求項６】
前記移動機構部は、前記カバー部材と、前記本体部内の固定部との間に連結されているリンク部材を有するリンク機構部であることを特徴とする請求項１に記載のヒュームフード。
【発明の詳細な説明】
【技術分野】
【０００１】
本発明は、例えば実験等の作業を行う作業空間を有する本体部を有し、本体部に収納されている機器等の点検等をする際に、本体部の一部分を移動させることができる移動機構部を有するヒュームフードに関する。
【背景技術】
【０００２】
特許文献１には、調剤用のクリーンベンチが記載されており、このクリーンベンチは、作業テーブルと、この作業テーブルの上側の作業空間を覆うケースを備えたクリーンベンチ本体を有している。クリーンベンチ本体は、ケースに形成された作業用開口と、この作業用開口を開閉可能な透明なガラスの開閉扉を有する。
【先行技術文献】
【特許文献】
【０００３】
【特許文献１】特許第４５５３３５８号公報
【発明の概要】
【発明が解決しようとする課題】
【０００４】
ところで、この種のクリーンベンチ本体内には、各種の装置等が収容されている。作業者がクリーンベンチ本体内の各種の装置等を点検したり交換する際には、２人の作業者が、例えばそれぞれ脚立に乗って、クリーンベンチ本体の例えば上部のカバーから複数のネジを取り除く。そして、作業者は、クリーンベンチ本体から外した上部のカバーを持ったまま脚立から降りて、上部のカバーを床面に置く。これにより、クリーンベンチ本体の上部の内部を露出させて、クリーンベンチ本体内の各種の装置等の点検や交換することができる。
【０００５】
しかし、上部のカバーを取り外して下す際に、上部のカバーを誤って落下させてしまうおそれがある。また、この作業中に、上部のカバーを下すために脚立に乗り下りする際に、作業者の脚や膝等が、開閉扉に当たってガラスの開閉扉に傷をつけてしまうおそれもある。
【０００６】
本発明は、上記に鑑みてなされたもので、その目的とするところは、内部に配置されている装置等の点検や交換の際に、安全に作業が容易に行え、開閉扉に傷がつくのを防ぐことができるヒュームフードを提供することにある。
【課題を解決するための手段】
【０００７】
上記課題を達成するため、請求項１に記載のヒュームフードは、作業空間と前記作業空間に通じる開口部を有する本体部と、前記本体部に設けられて前記本体部の前記開口部を開閉可能な開閉扉と、前記本体部に設けられている開放領域部を覆っているカバー部材と、前記本体部の前記開放領域部を前記カバー部材により覆っている状態から、前記開放領域部を開放させる位置まで、前記カバー部材を移動させる移動機構部と、を備えることを特徴とする。
【０００８】
請求項１に記載のヒュームフードでは、本体部内の設備や装置等の点検や交換の際に、カバー部材を移動するだけで、本体部の開放領域部をカバー部材により覆っている状態から、本体部において開放領域部を開放させることができる。このため、本体部の内部に配置されている装置等の点検や交換の際には、開放領域部において作業が安全に容易に行える。そして、移動機構部がカバー部材を移動するので、カバー部材を開閉扉に当ててしまうことがないので、開閉扉に傷がつくのを防ぐことができる。
【０００９】
請求項２に記載のヒュームフードでは、前記移動機構部は、前記本体部内の一方側に配置された第１案内機構部分と、前記本体部内の他方側に配置された第２案内機構部分を有し、前記第１案内機構部分と前記第２案内機構部分は、前記本体部側に設けられている案内溝と、前記カバー部材側に設けられて前記案内溝内に沿って案内されることで前記カバー部材を昇降移動させる案内突起部材とを、それぞれ有していることを特徴とする。
【００１０】
請求項２に記載のヒュームフードでは、簡単な構造ながら、カバー部材を昇降移動させて、本体部の開放領域部をカバー部材により覆っている状態から、開放領域部を開放させることができ、開放領域部において点検や交換の作業が容易に行える。
【００１１】
請求項３に記載のヒュームフードでは、前記案内溝は、前記本体部側に設けられた取付部材に設けられ、前記案内突起部材は、前記カバー部材側に設けられており、前記案内溝は、前記開放領域部を前記カバー部材により閉じた状態から、前記カバー部材を斜め上方向に案内する第１案内溝部と、前記第１案内溝部に連続して形成されており、前記カバー部材を前記斜め上方向に持ち上げた状態から下方への移動を案内する第２案内溝部と、前記第２案内溝部に連続して形成されており、前記第２案内溝部に沿って前記下方に案内された前記カバー部材を、斜め下方向に案内して、前記カバー部材を前記開放領域部から離れた位置に保持する第３案内溝部と、を有することを特徴とする。
【００１２】
請求項３に記載のヒュームフードでは、カバー部材の案内突起部材が、本体部側の取付部材の案内溝の第１案内溝部に沿って斜め上方向に案内され、カバー部材の自重を利用して第２案内溝部に沿って下方に案内され、その後第３案内溝部に案内される。このため、カバー部材を開放領域部から離して開放領域部を開放する状態が、簡単なカバー部材の移動操作で容易に保持できる。カバー部材が最も下端部に保持されていると、カバー部材が開閉扉等を覆っている。このため、作業者の脚や膝等が、開閉扉等に当たるのを防ぐことができる。
【００１３】
請求項４に記載のヒュームフードでは、前記案内溝は、前記本体部側に設けられた取付部材に設けられ、前記案内突起部材は、前記カバー部材側に設けられており、前記案内溝は、前記開放領域部を前記カバー部材により閉じた状態から、前記カバー部材を斜め上方向に案内する第１案内溝部と、前記第１案内溝部に連続して形成されており、前記カバー部材を前記斜め上方向に持ち上げた状態から下方への移動を案内する第２案内溝部と、前記第２案内溝部に連続して形成されており、前記第２案内溝部に沿って前記下方に案内された前記カバー部材を、さらに前記下方に案内して、前記カバー部材を前記開放領域部から離れた位置に保持する第３案内溝部と、前記第２案内溝部に接続され、前記カバー部材の前記案内突起部材を前記第２案内溝部から離脱させて前記カバー部材を前記本体部から取り外し可能にする第４案内溝部と、を有することを特徴とする。
【００１４】
請求項４に記載のヒュームフードでは、カバー部材の案内突起部材が、本体部側の取付部材の案内溝の第１案内溝部に沿って斜め上方向に案内され、カバー部材の自重を利用して第２案内溝部に沿って下方向に案内され、その後第３案内溝部に案内される。このため、カバー部材を開放領域部から離して開放領域部を開放する状態が、簡単なカバー部材の移動操作で容易に保持できる。このため、通常の場合には、カバー部材を開放領域部から離して開放領域部を開放する状態が、簡単なカバー部材の移動操作で容易に保持できる。カバー部材は、例えば開閉扉等を覆うことができるので、脚や膝等が開閉扉等に当たってしまうのを防止することができる。
【００１５】
また、作業状況によって必要に応じて、カバー部材の案内突起部材は、第４案内溝部を通じて取り外すことができるので、カバー部材は本体部から簡単に取り外して、カバー部材を別の位置に置いておくことができる。
【００１６】
請求項５に記載のヒュームフードでは、前記カバー部材は、前記本体部の前記開放領域部を閉じた状態で、前記取付部材に対して突き当てることで前記カバー部材を前記取付部材に位置決めをする位置決め部材を有することを特徴とする。
【００１７】
請求項５に記載のヒュームフードでは、カバー部材が本体部の開放領域部を閉鎖している状態で、カバー部材は、取付部材に対してぐらつかないように位置決めをすることができる。このため、カバー部材は、本体部の開放領域部を確実にしかも安定して閉鎖することができる。
【００１８】
請求項６に記載のヒュームフードでは、前記移動機構部は、前記カバー部材と、前記本体部内の固定部との間に連結されているリンク部材を有するリンク機構部であることを特徴とする。
【００１９】
請求項６に記載のヒュームフードでは、移動機構部としてリンク機構部を用いることにより、構造を簡単化することができる。
【発明の効果】
【００２０】
本発明によれば、内部に配置されている装置等の点検や交換の際に、安全に作業が容易に行え、開閉扉に傷がつくのを防ぐことができるヒュームフードを提供できる。
【図面の簡単な説明】
【００２１】
【図１】本発明の好ましい実施形態であるヒュームフードを示す正面図である。
【図２】図１に示すヒュームフードにおける内部構造例を示す縦方向の模式を示す図である。
【図３】ヒュームフードの電気的な構成例を示すブロック図である。
【図４】移動機構部の構造例を示す分解斜視図である。
【図５】カバー部材が昇降移動操作される様子を示す図である。
【図６】本発明の第２実施形態を示す図である。
【図７】本発明の第３実施形態を示す図である。
【発明を実施するための形態】
【００２２】
以下、図面を用いて、本発明を実施するための形態(以下、実施形態と称する)を説明する。
【００２３】
（第１実施形態）
図１は、本発明の好ましい実施形態であるヒュームフード１を示す正面図である。図２は、図１に示すヒュームフード１における内部構造例を示す縦方向の模式図である。このヒュームフード１は、本体部２内に収容されている設備や装置等の点検や交換が容易にしかも安全に行える封じ込め装置の一例である。
【００２４】
図１と図２に示すヒュームフード１は、研究者や実験者等の作業者が、被処理物としての例えば微生物等の試料の無菌操作作業や各種の化学実験作業等、器具類を用いて実験や処理作業を行うために用いられる。
【００２５】
ヒュームフード１は、被処理物を外部に漏れないように封じ込めながら処理をするために、箱状の囲い部分である本体部２を有する。この本体部２はドラフト庫内１９を有する。ドラフト庫内１９の内部には、広い作業空間２０が確保されている。被処理物を内部の作業空間２０において処理する際に、作業者が被処理物の影響を受けないように、ドラフト庫内１９は、作業空間２０の雰囲気を外部から隔離する構造を有している。
【００２６】
このヒュームフード１は、作業者を有害物質から保護することを目的とした局所排気装置である。作業空間２０内における風量は好ましくは可変でき、作業空間２０内は、標準風量領域だけでなく、好ましくは低風量領域においても、スムーズな換気を実現して、危険物質や有害物質の封じ込めることができる封じ込め性能を有している。このため、有害な雰囲気が、作業者の側に漏洩しない。
【００２７】
特に、低風量型のヒュームフード１は、エネルギーコスト低減を目的として、少ないランニングコストで運転ができ、低風量型のヒュームフード１の排気風量は、一般的なヒュームフードの排気風量に比較して、例えば４０〜６０％低減できる。ヒュームフード１内の作業空間２０内に低風量ドラフトで空気を送ることで、通常の風量のドラフトを作業空間２０内に送る場合に比べて、ヒュームフード１の作動時の省エネルギー化（エコ化）や、低騒音化を図ることができる。
【００２８】
次に、図１と図２を参照して、ヒュームフード１の好ましい構造例を、さらに説明する。
【００２９】
図１と図２に示すヒュームフード１の本体部２は、長方形状の前面部３を有している。この前面部３には、長方形状の前面開口部（開口部の一例）４が設けられている。
【００３０】
この前面開口部４には、開閉扉としての例えば長方形状の可動ガラス扉５と、例えば長方形状の固定ガラス部６が、設けられている。この可動ガラス扉５と固定ガラス部６は、前面開口部４内が見えるように透明板もしくは透光板であり、好ましくは強化ガラスを用いている。この例では、固定ガラス部６の面積は、可動ガラス扉５の面積に比べて小さく、固定ガラス部６は、本体部２に対してはめ込んで固定されていることで、前面開口部４の一部分である上部領域を閉じている。
【００３１】
図１と図２に示すように、可動ガラス扉５が最も下端まで下げられていて、前面開口部４のかなりの部分が閉鎖されている状態でも、可動ガラス扉５の上縁部分７は、固定ガラス部６の下縁部分８と重なっている。これにより、可動ガラス扉５と固定ガラス部６との間の接合部分の隙間を無くしている。可動ガラス扉５が最も下端まで下げられている状態では、前面開口部４における空気通路１７が形成されているが、この空気通路１７の開口面積は最も小さくなっている。
【００３２】
図１と図２に示すように、本体部２は、前面部３と、左右の側面１２，１３と、背面部１４と、天井面１５を有している。図１に示すように、可動ガラス扉５の左右の縁部分５Ａ，５Ｂは、本体部２の前面部３のガラス案内溝部１１Ａ，１１Ｂにおいて、Ｚ方向（上下方向）に沿って、移動可能にはめ込まれている。可動ガラス扉５の下縁部分には、作業者が手で持って可動ガラス扉５を上げ下げするための把持部５Ｃが、設けられている。
【００３３】
図２に示すように、可動ガラス扉５の上縁部分７には、吊線材９の一端部が固定されている。この吊線材９は、滑車９Ａ，９Ｂにかかっており、吊線材９の他端部は、バランスウエイト９Ｃに固定されている。これにより、作業者が、この可動ガラス扉５の把持部５Ｃを持って、可動ガラス扉５を、バランスウエイト９Ｃとの釣り合いにより、スムーズにしかも容易にＺ方向に上下移動させることができる。従って、作業者は、作業内容に応じて、可動ガラス扉５を、手動で上げることで、図１に示す少し前面開口部４の空気通路１７の開口面積を任意に大きく拡げることができる。
【００３４】
図１に示す本体部２の上部の内部には、装置や設備等、例えばヒュームフード１の動作を制御するための制御部１００や浄化装置１１０、そして浄化装置１１０のフィルタの下に配置された蛍光灯１１５等が、収容されている。この浄化装置１１０は、例えば排気用のファンと、空気から微粒子を除去する例えばＨＥＰＡフィルタ（高性能フィルタ）等を備え、作業空間２０内の空気を清浄化して排気し続けるようになっている。なお、装置天井部に搭載されるものでかつメンテナンスが必要とされる搭載物としては、制御部１００、蛍光灯１１５やＬＥＤ等の照明装置や、浄化装置１１０のＨＥＰＡフィルタの他に活性炭吸着装置や、スクラバーなどがある。
【００３５】
これにより、例えば低風量の空気は、図２に示す前面開口部４の下部に形成されている空気通路１７を通じて、図３に示す本体部２の内部の作業空間２０に入る。そして、作業空間２０内の空気は、作業空間２０内にある封じ込めるべき物質を含む雰囲気とともに、作業空間２０の背面側の排気孔２０Ｈを通じて背部通路２０Ｆに入り、背部通路２０Ｆから浄化装置１１０のＨＥＰＡフィルタに通してろ過された後に、外部に排気されるようになっている。なお、浄化装置１１０は、本体部２の外部に配置してもよい。
【００３６】
図１に示すように、本体部２の上部２Ｈには、カバー部材１５０が配置されている。カバー部材１５０は、被覆用のパネルともいい、固定ガラス部６の上部側に配置されている。カバー部材１５０は、例えば横長の長方形状の、例えばステンレス製等の金属製の板部材である。本体部２は、固定ガラス部６の上部側において、開放領域部２Ｐを有している。この開放領域部２Ｐは、本体部２内の上部に配置されている、図１に例示するような装置や設備等、例えばヒュームフード１の動作を制御するための制御部１００や浄化装置１１０、そして浄化装置１１０のフィルタの下に配置された蛍光灯１１５等を、点検したり交換する際に、使用される開放空間部である。
【００３７】
カバー部材１５０の寸法例としては、高さ寸法は、２０ｃｍから５０ｃｍであり、カバー部材１５０の左右幅は１２０ｃｍから１５０ｃｍであり、カバー部材１５０の左右幅は、本体部２の左右幅にほぼ等しい。このカバー部材１５０の寸法の数値は一例であり、特に限定されない。
【００３８】
図１に示すカバー部材１５０は、好ましくは後で説明する移動機構部２００を用いて、好ましくは手動により、Ｚ２方向に下げたり、Ｚ１方向に上げたりすることで、上部２Ｈに形成されている開放領域部２Ｐを、開けたり閉めたりすることができる構造を有している。移動機構部２００の構造例は、後で説明する。
【００３９】
図１と図２に示すように、本体部２のドラフト庫内１９は、作業空間２０を有していが、この作業空間２０は作業面２１を有している。ドラフト庫内１９の作業空間２０は、Ｘ方向（左右方向）、Ｙ方向（奥行方向）、Ｚ方向（上下方向）に沿って形成されている、ほぼ直方体形状の閉鎖空間である。図２に示すように、作業空間２０の作業面２１は、作業空間２０の底部を形成している。
【００４０】
この作業面２１の高さ位置は、作業者が作業用の椅子に座った状態で、前面開口部４の空気通路１７を通じて、手を入れて、作業空間２０内で所定の作業ができるように設定されている。また、本体部２の下部には、空間部ＳＰが設けられている。この空間部ＳＰには、作業用の椅子に座った作業者の膝を入れることができる。本体部２には、電源スイッチ１０１やコンセント１０２等が設けられている。
【００４１】
図３を参照して、ヒュームフード１の電気的な構成例を説明する。図３は、ヒュームフード１の電気的な構成例を示すブロック図である。
【００４２】
図３に示すように、制御部１００は、電源スイッチ１０１と、電源コンセント１０２と、浄化装置１１０の送風ファン１１１と、蛍光灯１１５に、電気的に接続されている。
【００４３】
次に、図１と図４と図５を参照して、カバー部材１５０を昇降移動させるための移動機構部２００の好ましい構造例を説明する。
【００４４】
図４は、移動機構部２００の構造例を示す分解斜視図である。
【００４５】
図１に示すように、カバー部材１５０は、移動機構部２００により、例えば手動により、Ｚ２方向に下げたり、Ｚ１方向に上げることができる。図１において破線で示すように、移動機構部２００は、第１案内機構部分２０１と、第２案内機構部分２０２を備えている。
【００４６】
移動機構部２００の第１案内機構部分２０１と第２案内機構部分２０２は、本体部２の上部２Ｈの内部であって、カバー部材１５０の左側の端部１５１と右側の端部１５２に、それぞれ設けられている。カバー部材１５０が、開放領域部２Ｐを覆っている状態では、第１案内機構部分２０１と第２案内機構部分２０２は、カバー部材１５０により覆われている。
【００４７】
図１に示すように、第１案内機構部分２０１は、本体部２の上部２Ｈの内部において、カバー部材１５０の左側の端部１５１の裏側に配置されている。また、第２案内機構部分２０２は、本体部２の上側の内部において、カバー部材１５０の右側の端部１５２の裏側に配置されている。
【００４８】
第１案内機構部分２０１と第２案内機構部分２０２は、左右対称構造を有しており、それぞれの構造は実質的に同等である。このため、図４を参照して、第１案内機構部分２０１と第２案内機構部分２０２の構造の説明は、第１案内機構部分２０１の構造の説明をすることで、代表する。
【００４９】
図４に示すように、第１案内機構部分２０１は、好ましくは金属製の取付部材２１０と、金属製のブラケット２２０と、ネジ２３０と、ネジ２９０を有している。第２案内機構部分２０２についても、同様の構成要素を有している。
【００５０】
取付部材２１０は、本体部２の左側の側面１２の内側に固定されている部材である。ブラケット２２０は、カバー部材１５０の左側の端部１５１の裏側に固定されている部材である。
【００５１】
図４に示すように、取付部材２１０は、金属板を折り曲げることで形成されており、取付側面部２１１と、案内用の側面部２１２と、連結部２１３を有する。取付側面部２１１と案内用の側面部２１２は、間隔をおいて、Ｚ方向に平行になるように向かい合っており、連結部２１３は、取付側面部２１１と案内用の側面部２１２の前端部側を連結している。
【００５２】
取付側面部２１１の上部には、取付用の部分２１１Ｒを有している。この取付用の部分２１１Ｒは、取付部材２１０を側面１２に固定するために、側面１２の上端面１２Ｔに載っている。この取付用の部分２１１Ｒは、ネジ２３０を通して、ネジ２３０を上端部１２Ｔのメネジにねじ込むためのネジ孔２１４を有する。
【００５３】
図４に示すように、案内用の側面部２１２には、カバー部材１５０を昇降する際に案内するための案内溝２１５が形成されている。この案内溝２１５は、第１案内溝部２４１と、第２案内溝部２４２と、そして第３案内溝部２４３を有している。第２案内溝部２４２は、Ｚ方向に平行に形成されており、第１案内溝部２４１は、第２案内溝部２４２の上端部に接続して形成されている。第３案内溝部２４３は、第２案内溝部２４２の下端部に接続して形成されている。
【００５４】
第１案内溝部２４１と第３案内溝部２４３は、平行になっており、後方の向き（Ｙ方向）に対して、所定角度θ、例えば４５度だけ斜め下向きに傾斜して形成されている。
【００５５】
一方、図４に示すブラケット２２０は、固定面部２２１と、側面部２２２を有する。固定面部２２１は、カバー部材１５０の左側の端部１５１の裏側に固定されている。固定面部２２１は側面部２２２に対して垂直に形成されており、側面部２２２は、案内用の側面部２１２と平行であって、案内用の側面部２１２に対面して、ほぼ接している。
【００５６】
側面部２２２の外面は、例えば丸棒状の案内突起部材２５０と、断面Ｌ字型の位置決め部材２６０を固定している。案内突起部材２５０は、ガイドピンともいい、側面部２２２の外面から案内用の側面部２１２に向けて、Ｘ方向に突出しており、この案内突起部材２５０は、案内溝２１５にはまり込む。ブラケット２２０の側面部２２２の位置決め部材２６０は、側面部２２２の外面から案内用の側面部２１２に向けて、Ｘ方向に突出している。位置決め部材２６０の内面２６１は、取付部材２１０の連結部２１３の表面２１３Ａに対して突き当てられている。
【００５７】
これにより、カバー部材１５０が、本体部２において、取付部材２１０の連結部２１３に対して、Ｙ方向（後方）に関してぐらつかないように、カバー部材１５０の位置決めをすることができる。このことから、カバー部材１５０は、本体部２の開放領域部２Ｐを、確実にしかも安定した状態で、閉鎖することができる。
【００５８】
さらに、図４に示すネジ２３０は、取付側面部２１１の延長部分２１１Ｒのネジ孔２１４に通して、本体部２の側面１２の上端面１２Ｔのメネジにねじ込まれる。このため、第１案内機構部分２０１の取付部材２１０が、本体部２の左側の側面１２の内側に固定されている。同様にして、図１に示す第２案内機構部分２０２の取付部材２１０が本体部２の右側の側面１３の内側に対して固定されている。
【００５９】
図１に示すように、カバー部材１５０の左側の端部１５１と右側の端部１５２には、それぞれブラケット２２０が固定されている。左右のブラケット２２０，２２は、図１に示す左側の側面１２側の取付部材２１０の案内用の側面部２１２と、右側の側面１３側の取付部材２１０の案内用の側面部２１２にそれぞれ接している。図４に例示するように、左右の案内突起部材２５０は、左右の側面部２１２の案内溝２１５の第１案内溝部２４１にそれぞれはまり込んでいる。
【００６０】
これにより、カバー部材１５０は、左側の側面１２側の取付部材２１０の案内用の側面部２１２と、右側の側面１３側の取付部材２１０の案内用の側面部２１２との間で、左右の案内溝２１５，２１５に沿って、Ｚ方向に沿って昇降移動（上下移動）可能になっている。
【００６１】
図４に示すように、カバー部材１５０の上端面１５９は、ネジ孔１５０Ｈを有している。ネジ２９０は、このネジ孔１５０Ｈを通して、本体部２の側面１２の上端面１２Ｔのメネジ１２Ｒにねじ込まれる。これにより、カバー部材５０は、本体部２の側面１２の上端面１２Ｔに着脱可能に固定されている。
【００６２】
次に、上述したヒュームフード１の使用例を、図１と図４と図５を参照して説明する。
【００６３】
図５は、カバー部材１５０が、手動により昇降移動操作される様子を示す図である。
【００６４】
図１と図５（Ａ）に示すように、ヒュームフード１を通常使用している場合には、カバー部材１５０はヒュームフード１の上部２Ｈに形成されている開放領域部２Ｐを閉じている。この状態では、カバー部材１５０の左側の端部１５１と右側の端部１５２は、ネジ２９０により、左側の側面１２と右側の側面１３に対して、それぞれ固定されている状態である。しかも、図５（Ａ）に示すように、左右の案内突起部材２５０は、案内溝２１５の第１案内溝部２４１の最も下部に位置に位置決めされている。
【００６５】
作業者が、例えば図１に示す制御部１００等や浄化装置１１０の装置や、蛍光灯１１５等の設備を交換したり点検する作業、すなわちメンテナンス作業を行う場合には、図５（Ａ）に示すカバー部材１５０を図５（Ａ）のように開放領域部２Ｐを閉じている状態から、図５（Ｂ）から図５（Ｃ）に示すように、開放領域部２Ｐを開放する作業を、次のようにして行う。
【００６６】
まず、作業者は、図５（Ａ）に示す左右位置のネジ２９０をカバー部材１５０から取り外すことで、カバー部材１５０が、本体部２において移動できるようにする。そして、図５（Ａ）において、作業者は、カバー部材１５０を持って斜め上方向Ｍに持ち上げることで、カバー部材１５０の案内突起部材２５０は、図５（Ａ）に示す案内溝２１５の第１案内溝部２４１の下端部から、図５（Ｂ）に示すように第２案内溝部２４２の上端部へ案内される。
【００６７】
さらに、図５（Ｂ）に示すように、作業者は、カバー部材１５０を持ったままで、Ｚ２方向に下げる。カバー部材１５０の案内突起部材２５０は、カバー部材１５０の重量（自重）を利用して自然に、第２案内溝部２４２の上端部から下端部に案内される。
【００６８】
その後、図５（Ｃ）に示すように、作業者は、カバー部材１５０を持ったままで、カバー部材１５０の自重を利用して自然に、このカバー部材１５０をさらに斜め下方向Ｎに下げることで、カバー部材１５０の案内突起部材２５０は、第２案内溝部２４２の下端部から第３案内溝部２４３の下端部に案内される。
【００６９】
これにより、作業者は、図１と図５（Ａ）に示すように、カバー部材１５０を用いて開放領域部２Ｐを閉じている閉鎖状態から、カバー部材１５０の自重を利用して自然に、図５（Ｃ）に示す開放領域部２Ｐを開放した開放状態に、容易にしかも安全に変えることができる。
【００７０】
従って、作業者は、この開放領域部２Ｐから、本体部２の内部の例えば図１に示す制御部１００等や浄化装置１１０の装置や、蛍光灯１１５等の設備を、容易にしかも安全に交換したり点検することができる。このため、ヒュームフード１のメンテナンス性を向上することができる。
【００７１】
このようにして、ヒュームフード１のメンテナンス時に、カバー部材１５０を手動で下げる操作が容易であり、カバー部材１５０は移動機構部２００を用いて、安全に下げることができるので、カバー部材１５０を本体部２から落下させてしまうおそれがない。
【００７２】
しかも、カバー部材１５０の昇降作業は、カバー部材１５０の自重を利用して自然にしかも容易に行える。図５（Ｃ）に示すように、カバー部材１５０が、最も下の位置に下がった状態では、例えば図１に示す固定ガラス部６の前面を覆った状態になる。カバー部材１５０は移動機構部２００を用いて安全に下げることができる。
【００７３】
このように、カバー部材１５０が最も下端部に保持されていると、カバー部材１５０が例えば固定ガラス部６や可動ガラス扉５の一部を覆っている。このため、作業者の脚や膝等が、固定ガラス部６や可動ガラス扉５の一部に当たるのを防ぐので、固定ガラス部６や可動ガラス扉５の一部に傷をつけてしまうのを防ぐことができる。
【００７４】
ところで、交換したり点検する作業が終了すると、作業者は、図５（Ｃ）に示すカバー部材１５０を持って斜め上方向Ｎ１に持ち上げて、さらに図５（Ｂ）に示すように、カバー部材１５０をＺ１方向に持ち上げて、そしてカバー部材１５０をカバー部材１５０の自重を利用して斜め下方向Ｍ１に下げればよい。
【００７５】
これにより、図５（Ａ）に示すように、カバー部材１５０は、メンテナンス後に、本体部２の開放領域部２Ｐを閉じることができる。そして、図５（Ａ）に示すように、カバー部材１５０はネジ２９０により本体部２に固定する。
【００７６】
そして、図４に示すブラケット２２０の側面部２２２の位置決め部材２６０の内面２６１は、取付部材２１０の連結部２１３の表面２１３Ａに対して突き当てられる。これにより、カバー部材１５０が、取付部材２１０の連結部２１３に対して、Ｙ方向に関してぐらつかないように、カバー部材１５０の位置決めを確実にしかも安定して行える。このため、カバー部材１５０は、本体部２の開放領域部２Ｐを確実に閉鎖することができる。
【００７７】
次に、本発明の別の実施形態を説明する。本発明の別の実施形態における構成要素が、上述した本発明の第１実施形態における構成要素と、実質的に同じ個所には同じ符号を付している。
【００７８】
（第２実施形態）
次に、図６を参照して、本発明の第２実施形態を説明する。図６は、本発明の第２実施形態を示している。
【００７９】
図３から図５に示す第１実施形態では、カバー部材１５０を昇降する際に案内するための案内溝２１５は、第１案内溝部２４１と、第２案内溝部２４２と、第３案内溝部２４３を有し、第１案内溝部２４１と第３案内溝部２４３は、平行になっており、後方の向き（Ｙ方向）に対して、所定角度θ、例えば４５度だけ斜め下向きに傾斜して形成されている。
【００８０】
これに対して、図６に示す第２実施形態では、カバー部材１５０を昇降する際に案内するための案内溝２１５Ａは、第１案内溝部２４１と、第２案内溝部２４２と、第３案内溝部４００と、そして第４案内溝部４０１を有している。
【００８１】
図６に示すカバー部材１５０を昇降する際に案内するための案内溝２１５Ａの第１案内溝部２４１と第２案内溝部２４２の各形状は、図５に示す第１案内溝部２４１と第２案内溝部２４２の各形状と実質的に同じである。
【００８２】
しかし、案内溝２１５Ａの第３案内溝部４００は、第２案内溝部２４２の下端部に連続して、そのまま第２案内溝部２４２の下端部からＺ方向に沿って真下方向に延長して形成されている。
【００８３】
また、案内溝２１５Ａの第４案内溝部４０１は、第２案内溝部２４２と第３案内溝部４００から、取付部材２１０の案内用の側面部２１２の前端面部２１２Ｔに達するまで、Ｙ方向に沿って連続して形成されている。このため、第４案内溝部４０１と第２案内溝部２４２と第３案内溝部４００は、Ｔ字型に形成されている。
【００８４】
このように、図６に示すように、案内溝２１５Ａは、第３案内溝部４００を有している。カバー部材１５０を最も下端部にカバー部材１５０の自重を利用して下げると、カバー部材１５０の案内突起部材２５０は、カバー部材１５０の自重を利用して、第２案内溝部２４２から第３案内溝部４００へ、入り込んで位置決めできる。このため、作業者は、カバー部材１５０を第１案内溝部２４１に沿って斜め上に持ち上げるだけで、カバー部材１５０は、カバー部材１５０の自重を利用して自然に下げることができる。
【００８５】
カバー部材１５０の案内突起部材２５０が第３案内溝部４００に入り込んで、カバー部材１５０の案内突起部材２５０が第３案内溝部４００の最も下端部に達すると、開放領域部２Ｐはカバー部材１５０から完全に開放される。この状態では、カバー部材１５０は、本体部２の前面部３から間隔Ｌだけ浮かした状態に保持することができる。
【００８６】
このように、カバー部材１５０が最も下端部に保持されていると、カバー部材１５０が例えば固定ガラス部６や可動ガラス扉５の一部を覆っている。このため、作業者の脚や膝等が、固定ガラス部６や可動ガラス扉５の一部に当たるのを防ぐので、固定ガラス部６や可動ガラス扉５の一部に傷をつけてしまうのを防ぐことができる。
【００８７】
また、図６に示すように、案内溝２１５Ａは、第１案内溝部２４１、第２案内溝部２４２、第３案内溝部３００に加えて、さらに第４案内溝部４０１を有していることから、例えば次のような効果がある。
【００８８】
通常は、上述したように、カバー部材１５０の案内突起部材２５０が第３案内溝部４００に入り込んで、カバー部材１５０の案内突起部材２５０が第３案内溝部４００の最も下端部に保持されている。
【００８９】
しかし、作業者が、メンテナンス作業を行う場合に、作業の状況に応じて、作業者は、案内突起部材２５０側にある図示しない脱落防止ネジを外すことで、カバー部材１５０を持って、第４案内溝部４０１に沿ってカバー部材１５０の案内突起部材２５０を外すことができる。これにより、メンテナンス作業では、カバー部材１５０は、本体部２からは離して、別の場所に置いておくこともできるので、作業者は、本体部２における作業が、さらに容易に行える。
【００９０】
また、本体部２に対してカバー部材１５０を取り付ける際に、カバー部材１５０の案内突起部材２５０は、第４案内溝部４０１から差し込んで入れて、第２案内溝部２４２側に導き、そして第２案内溝部２４２に沿って持ち上げて、第１案内溝部２４１に入れ込めばよい。これにより、カバー部材１５０は、図１に示す左右の第１案内機構部分２０１と、第２案内機構部２０２の間に簡単に取り付けることができる。
【００９１】
（第３実施形態）
次に、図７を参照して、本発明の第３実施形態を説明する。図７は、本発明の第３実施形態を示している。
【００９２】
図３から図５に示す第１実施形態では、カバー部材１５０を昇降する際に案内するための案内溝２１５は、本体部２側に設けて、案内突起部材２５０は、カバー部材１５０側に設けている。
【００９３】
これに対して、図７に示す第３実施形態では、カバー部材１５０は、移動機構部３００を用いて昇降可能になっている。移動機構部３００は、リンク機構部である。このリンク機構部である移動機構部３００は、図１に示す本体部２の左側と右側にそれぞれ配置されている。
【００９４】
移動機構部３００は、第１リンク部材３０１と第２リンク部材３０２を有している。第１リンク部材３０１と第２リンク部材３０２の各一端部は、カバー部材１５０の内面にピンにより連結されている。また、第１リンク部材３０１と第２リンク部材３０２の各他端部は、本体部２の内面の固定部２Ｄに固定されている。
【００９５】
これにより、図６（Ａ）に示すようにカバー部材１５０は、本体部２の開放領域部２Ｐを閉じた状態から、図６（Ｂ）に示すように本体部２の開放領域部２Ｐを開放した状態にすることができる。移動機構部３００としてリンク機構部を用いることにより、部品点数を減らして構造を簡単化することができる。
【００９６】
以上説明したように、本発明の実施形態のヒュームフード１は、作業空間２０と作業空間２０に通じる開口部４を有する本体部２と、本体部２に設けられて本体部２の開口部４を開閉可能な開閉扉としての可動ガラス扉５と、本体部２に設けられている開放領域部２Ｐを覆っているカバー部材１５０と、本体部２の開放領域部２Ｐをカバー部材１５０により覆っている状態から、開放領域部２Ｐを開放させる位置まで、カバー部材１５０を移動させる移動機構部２００（２１５Ａ，３００）を備える。
【００９７】
これにより、本体部２内の設備や装置等の点検や交換の際に、本体部２において、カバー部材１５０を移動するだけで、本体部２の開放領域部２Ｐをカバー部材１５０により覆っている状態から、開放領域部２Ｐを開放させることができる。このため、本体部２の内部に配置されている装置等の点検や交換の際には、開放領域部２Ｐにおいて作業が安全に容易に行える。そして、移動機構部２００がカバー部材１５０を移動するので、カバー部材１５０を開閉扉可動ガラス扉５や固定ガラス部６に当ててしまうことがないので、可動ガラス扉５や固定ガラス部６に傷がつくのを防ぐことができる。
【００９８】
移動機構部２００は、本体部２内の一方側に配置された第１案内機構部分２０１と、本体部２内の他方側に配置された第２案内機構部分２０２を有する。第１案内機構部分２０１と第２案内機構部分２０２は、本体部２側に設けられてカバー部材１５０を昇降移動させる際にカバー部材１５０を案内するための案内溝２１５と、カバー部材１５０側に設けられて案内溝２１５内に沿って案内される案内突起部材２５０とを、それぞれ有している。
【００９９】
これにより、簡単な構造ながら、カバー部１５０を昇降移動させて、本体部２の開放領域部２Ｐをカバー部材１５０により覆っている状態から、開放領域部２Ｐを開放させることができ、開放領域部２Ｐにおいて点検や交換の作業が容易に行え、作業時に可動ガラス扉５や固定ガラス部６に傷がつくのを防ぐことができる。
【０１００】
図５に例示するように、案内溝２１５は、本体部２側に設けられた取付部材２１０に設けられ、案内突起部材２５０は、カバー部材１５０側に設けられている。案内溝２１５は、開放領域部２Ｐをカバー部材１５０により閉じた状態から、カバー部材１５０を斜め上方向に案内する第１案内溝部２４１と、第１案内溝部２４１に連続して形成されており、カバー部材１５０を斜め上方向に持ち上げた状態から下方への移動を案内する第２案内溝部２４２と、第２案内溝部２４２に連続して形成されており、第２案内溝部２４２に沿って下方に案内されたカバー部材１５０を、斜め下方向に案内して、カバー部材１５０を開放領域部２Ｐから離れた位置に保持する第３案内溝部２４３を有する。
【０１０１】
これにより、カバー部材１５０の案内突起部材２５０が、本体部２側の取付部材２１０の案内溝２１５の第１案内溝部２４１に沿って斜め上方向に案内され、カバー部材１５０の自重を利用して第２案内溝部２４２に沿って案内され、その後第３案内溝部２４３に案内される。このため、カバー部材１５０を開放領域部２Ｐから離して開放領域部２Ｐを開放する状態が、簡単なカバー部材１５０の移動操作で容易に保持できる。
【０１０２】
図６に例示するように、案内溝２１５Ａは、本体部２側に設けられた取付部材２１０に設けられ、案内突起部材２５０は、カバー部材１５０側に設けられている。案内溝２１５は、開放領域部２Ｐをカバー部材１５０により閉じた状態から、カバー部材１５０を斜め上方向に案内する第１案内溝部２４１と、第１案内溝部２４１に連続して形成されており、カバー部材１５０を斜め上方向に持ち上げた状態から下方への移動を案内する第２案内溝部２４２と、第２案内溝部２４２に連続して形成されており、第２案内溝部２４２に沿って下方に案内されたカバー部材１５０を、さらに下方に案内して、カバー部材１５０を開放領域部２Ｐから離れた位置に保持する第３案内溝部４００を有する。しかも、案内溝２１５Ａは、第２案内溝部２４２に接続され、カバー部材１５０の案内突起部材２５０を第２案内溝部２４２から離脱させてカバー部材１５０を取り外し可能にする第４案内溝部４０１を有する。
【０１０３】
これにより、カバー部材１５０の案内突起部材２５０が、本体部２側の取付部材２１０の案内溝２１５の第１案内溝部２４１に沿って斜め上方向に案内され、カバー部材１５０の自重を利用して第２案内溝部２４２に沿って案内され、その後第３案内溝部４００に案内される。このため、通常の場合には、カバー部材１５０を開放領域部２Ｐから離して開放領域部２Ｐを開放する状態が、簡単なカバー部材１５０の移動操作で容易に保持できる。カバー部材１５０は、例えば固定ガラス部６と可動ガラス扉５の一部分を覆っているので、脚や膝等が固定ガラス部６と可動ガラス扉５の一部分に当たってしまうのを防止することができる。
【０１０４】
また、作業状況によって必要に応じて、カバー部材１５０の案内突起部材２５０は、第４案内溝部４００を通じて取り外すことができるので、カバー部材１５０は本体部２から簡単に取り外して、カバー部材１５０を別の位置に置いておくことができる。
【０１０５】
図５と図６に例示するように、カバー部材１５は、本体部２の開放領域部２Ｐを閉じた状態で、取付部材２１０に対して突き当てることで、カバー部材１５０を取付部材２１０に位置決めをする位置決め部材２６０を有する。これにより、カバー部材１５０が本体部２の開放領域部２Ｐを閉鎖している状態で、カバー部材１５０は、取付部材２１０に対してぐらつかないように位置決めをすることができる。このため、カバー部材１５０は、本体部２の開放領域部２Ｐを確実に閉鎖することができる。
【０１０６】
図７に例示するように、移動機構部３００は、カバー部材１５０と、本体部２内の固定部２Ｄとの間に連結されているリンク部材３０１，３０２を有するリンク機構部である。これにより、移動機構部３００としてリンク機構部を用いることにより、構造を簡単化することができる。
【０１０７】
以上、実施形態を挙げて本発明を説明したが、各実施形態は一例であり、特許請求の範囲に記載される発明の範囲は、発明の要旨を逸脱しない範囲内で種々変更できるものである。
【０１０８】
本発明の処理装置の実施形態としては、封じ込め装置である上述した低風量型のヒュームフードの他に、通常の風量のヒュームフードであってもよく、他の種類の封じ込め装置等の各種の機器であってもよい。本発明の実施形態の処理装置は、被処理物を処理するための各種の装置を含む。
【０１０９】
本発明のヒュームフードとしては、他の種類の装置、例えばドラフトチャンバー、クリーンベンチ、安全キャビネット、そして局所排気装置等の各種の異なる構造（例えば、風向、風量、陰圧、陽圧等の動作条件が異なる構造）の装置であっても構わない。
【０１１０】
図３から図５に示す第１実施形態では、カバー部材１５０を昇降する際に案内するための案内溝２１５は、本体部２側の取付部材２１０に設けて、案内突起部材２５０は、カバー部材１５０側のブラケット２２０に設けている。
【０１１１】
しかし、これに限らず、カバー部材１５０を昇降する際に案内するための案内溝２１５は、カバー部材１５０側のブラケット２２０に設けて、案内突起部材２５０は、本体部２側の取付部材２１０に設けるようにしてもよい。案内溝１５０は、カバー部材１５０を昇降移動（上下移動）させることができる任意の形状を採用することができる。例えば、図４に示す第２案内溝部２４２は、直線状ではなく、前側に膨らむ円弧状に形成されていてもよい。
【０１１２】
図２に示すように、この可動ガラス扉５は、作業者が手動で昇降させることで、前面開口部４を開閉できるが、電動モータにより自動で昇降させるようにしてもよい。
【符号の説明】
【０１１３】
１      ヒュームフード
２      本体部
２Ｐ    開放領域部
４      前面開口部（開口部の例）
５      可動ガラス扉
６      固定ガラス部
１００  制御部
１１０  浄化装置
１１５  蛍光灯
１５０  カバー部材
２００  移動機構部
２０１  第１案内機構部分
２０２  第２案内機構部分
２１０  取付部材
２１５  案内溝
２１５Ａ  案内溝
２４１  第１案内溝部
２４２  第２案内溝部
２４３  第３案内溝部
２５０  案内突起部材
４００  第３案内溝部
４０１  第４案内溝部
２６０  位置決め部材
３００  移動機構部（リンク機構部）
【図１】
2018083150.tif 000003
【図２】
2018083150.tif 000004
【図３】
2018083150.tif 000005
【図４】
2018083150.tif 000006
【図５】
2018083150.tif 000007
【図６】
2018083150.tif 000008
【図７】
2018083150.tif 000009